(57)【特許請求の範囲】
【請求項１】
内層と外層との間に真空を有する二重構造を有して、真空引きするための孔を封止する封止部を前記外層に有する容器の内面を、樹脂塗料でコーティングする際に用いられる焼成炉であって、
前記容器に樹脂材料を焼き付けるための焼成室を備える本体と、
前記焼成室内にある前記容器に熱風を供給する熱風供給部と、
前記焼成室内にある載置板に載置されて前記容器を支持する支持治具と、を備え、
該支持治具は、前記容器の前記封止部と前記熱風供給部との間に少なくとも一つの隔壁を有し、
前記本体は、前記隔壁よりも前記封止部側に、前記焼成室内から前記焼成室外に繋がる開口を有することを特徴とする焼成炉。
【請求項２】
前記載置板は、前記開口に繋がる貫通孔を有すること特徴とする請求項１に記載の焼成炉。
【請求項３】
前記本体は、内部にある前記焼成室の近傍に内部ダクトを備え、
前記焼成炉は、
前記熱風供給部と前記内部ダクトとを接続する戻りダクトと、
前記内部ダクトから前記熱風供給部に前記熱風を循環させる循環ダクトと、を備え、
前記熱風供給部は、前記内部ダクトと前記焼成室内とを連通して、開状態にあるときに前記内部ダクトから前記焼成室に前記熱風を供給する供給端を有することを特徴とする請求項１又は２に記載の焼成炉。
【請求項４】
内層と外層との間に真空を有する二重構造を有し、真空引きするための孔を封止する封止部を前記外層に有する容器の内面を樹脂塗料でコーティングするコーティング方法であって、
樹脂材料を前記容器に塗布する塗装工程と、
該塗装工程後に、前記容器の前記樹脂材料の塗布面を乾燥する乾燥工程と、
前記塗装工程及び前記乾燥工程を少なくとも一回行った後に、焼成炉の焼成室内において、熱風供給部から供給される熱風によって前記樹脂材料を前記容器に焼き付ける焼成工程と、を備え、
前記焼成工程において、前記焼成室内から前記焼成室外に繋がる開口によって前記容器の前記封止部が外気に触れるようにしつつ、前記封止部と前記熱風供給部との間を隔てて、前記熱風供給部から前記熱風を前記容器に供給することを特徴とするコーティング方法。
【請求項５】
前記焼成工程において、前記容器に前記熱風を吹き出さない場合に、前記熱風供給部から前記焼成炉の本体内との間で前記熱風を循環させることを特徴とする請求項４に記載のコーティング方法。
【発明の詳細な説明】
【技術分野】
【０００１】
本発明は、焼成炉及びコーティング方法に係り、特に、真空二重管構造を備える容器の内側にコーティングする焼成炉及びコーティング方法に関する。
【背景技術】
【０００２】
一般に、容器の内容物の外気温による温度変化を防止するために、外気から断熱することが可能な構造として、内層と外層とから成る真空二重管構造を有する容器が知られている。
真空二重管構造は、内層と外層から成る二重管の間を、外層に設けられた孔から真空引きして、外層の孔を封止部にて封止して真空に近い状態に保つことで、高い断熱効果が得られるというものである。
また、容器の内面への汚れの付着防止、保温性の向上、及び外観を良好にすることを目的として、容器の内面をフッ素樹脂等の樹脂材料でコーティングすることが一般的に知られている。
このコーティング作業の工程は、大別すると、ブラスト工程、塗装工程、乾燥工程、焼付け工程によって構成される。
特に、内部に熱が伝わりにくい断熱容器の内面に対する樹脂材料の焼付けに好適な技術として、熱源であるノズルによって断熱容器を内面側から強制的に加熱することにより、乾燥及び焼付けを行う技術が知られている（特許文献１）。
【先行技術文献】
【特許文献】
【０００３】
【特許文献１】特許第３１９５２０９号公報
【発明の概要】
【発明が解決しようとする課題】
【０００４】
しかし、特許文献１に開示された技術によって、断熱容器内面に好適に熱を加えることが可能であるが、容器内面に均一な熱を加えることが難しく、高い熱が加わる部位において、煤（炭化水素等）が生じてしまうことがあった。
また、熱源であるノズルにも付着したフッ素樹脂等による煤が生じてしまうことがあり、この場合には、煤を除去しなくては、均一に熱を加えることが更に困難となり、悪循環を招いていた。
【０００５】
そして、容器に均一に熱を付加するために、容器の内側からではなく、容器の外側から熱を加えるようにすることも考えられる。
しかし、この場合には、真空引き部分に設けられて相対的に熱に弱い封止部にまで熱が加わってしまうことがあった。
このため、封止部の変形を防止して真空状態を確保するために、封止部の変形温度よりも低い温度に、焼付けを行なう焼成室内の温度を下げざるを得ず、焼付け温度が制限されることとなった。この場合には、樹脂材料の結晶粒内の偏析を十分に無くすことができずに、容器内面の塗装面が粗くなることがあった。
【０００６】
更に、焼成する際には、容器の塗布面を高温にするために熱風を容器に吹き付ける必要があり、その生成にコストがかかり、また、熱風生成のために消費されるエネルギーによる環境負荷が問題となっていた。
【０００７】
本発明はかかる問題点に鑑みてなされたものであり、耐熱性の低い封止部に高い熱が加わることを抑制しつつ、容器内面の塗装面の表面性状を良好にすることを目的とする。
本発明の他の目的は、容器に付加する熱風を生成するのに要するコストを低減し、環境負荷を軽減することにある。
【課題を解決するための手段】
【０００８】
前記課題は、本発明に係る焼成炉によれば、内層と外層との間に真空を有する二重構造を有して、真空引きするための孔を封止する封止部を前記外層に有する容器の内面を、樹脂塗料でコーティングする際に用いられる焼成炉であって、前記容器に樹脂材料を焼き付けるための焼成室を備える本体と、前記焼成室内にある前記容器に熱風を供給する熱風供給部と、前記焼成室内にある載置板に載置されて前記容器を支持する支持治具と、を備え、該支持治具は、前記容器の前記封止部と前記熱風供給部との間に少なくとも一つの隔壁を有し、前記本体は、前記隔壁よりも前記封止部側に、前記焼成室内から前記焼成室外に繋がる開口を有することにより解決される。
【０００９】
上記構成によれば、焼成室内から焼成室外に繋がる開口が本体の隔壁よりも封止部側に設けられており、容器の封止部と熱風供給部との間に設けられた隔壁を有する支持治具を焼成炉が備えることによって、樹脂塗料の焼成の際に、熱風供給部から容器の封止部に熱が伝わることを抑制しつつ、焼成室外の空気に触れることで封止部の温度上昇が抑制されて封止部の熱変形を防止できるとともに、隔壁よりも上方の焼成室内の温度を高温にでき、容器内面における樹脂材料の原料粒子同士の結合度合いを高めて、樹脂塗料の表面性状を良好にすることができる。
【００１０】
また、前記載置板は、前記開口に繋がる貫通孔を有すると好ましい。
上記構成によれば、貫通孔を有する載置板上に容器を載置することによって、封止部近傍の熱を外気側にスムーズに流出させることができ、封止部近傍の温度の上昇を抑制することが可能となる。
【００１１】
また、前記本体は、内部にある前記焼成室の近傍に内部ダクトを備え、前記焼成炉は、前記熱風供給部と前記内部ダクトとを接続する戻りダクトと、前記内部ダクトから前記熱風供給部に前記熱風を循環させる循環ダクトと、を備え、前記熱風供給部は、前記内部ダクトと前記焼成室内とを連通して、開状態にあるときに前記内部ダクトから前記焼成室に前記熱風を供給する供給端を有すると好ましい。
上記構成によれば、生成した熱風を、内部ダクト、戻りダクト及び循環ダクトを通して循環させることで、熱風生成のための電力を節約することができ、環境負荷を低減することができる。
【００１２】
また、前記課題は、本発明に係るコーティング方法によれば、内層と外層との間に真空を有する二重構造を有し、真空引きするための孔を封止する封止部を前記外層に有する容器の内面を樹脂塗料でコーティングするコーティング方法であって、樹脂材料を前記容器に塗布する塗装工程と、該塗装工程後に、前記容器の前記樹脂材料の塗布面を乾燥する乾燥工程と、前記塗装工程及び前記乾燥工程を少なくとも一回行った後に、焼成炉の焼成室内において、熱風供給部から供給される熱風によって前記樹脂材料を前記容器に焼き付ける焼成工程と、を備え、前記焼成工程において、前記焼成室内から前記焼成室外に繋がる開口によって前記容器の前記封止部が外気に触れるようにしつつ、前記封止部と前記熱風供給部との間を隔てて、前記熱風供給部から前記熱風を前記容器に供給すること、により解決される。
【００１３】
上記構成によれば、容器の封止部と熱風供給部との間を隔てることで、焼成工程の際に、熱風供給部から容器の封止部に熱が伝わることを抑制しつつ、焼成室外の空気に封止部を触れさせることで、封止部の温度上昇が抑制されて封止部の熱変形を防止できるとともに、支持治具よって隔てられた位置よりも上方の焼成室内の温度を高温にでき、容器内面における樹脂材料の原料粒子同士の結合度合いを高めて、樹脂塗料の表面性状を良好にすることができる。
【００１４】
また、前記焼成工程において、前記容器に前記熱風を吹き出さない場合に、前記熱風供給部から前記焼成炉の本体内との間で前記熱風を循環させるようにしてもよい。
上記構成によれば、生成した熱風を循環させることで、熱風生成のための電力を節約することができ、環境負荷を低減することができる。
【発明の効果】
【００１５】
本発明によれば、焼成工程の際に、容器の封止部に熱風供給部から熱が伝わることを抑制して、封止部が変形することを防止しつつ、樹脂塗料の表面性状を良好にすることができる。
また、封止部近傍の熱を外気側にスムーズに流出させることができ、封止部近傍の温度の上昇を抑制することが可能となる。
また、生成した熱風を循環させることで、熱風生成のための電力を節約することができ、環境負荷を低減することができる。
【図面の簡単な説明】
【００１６】
【図１】本実施形態に係るコーティング容器の製造方法のフローを示す図である。
【図２】本実施形態に係る焼成炉の模式的な正面図である。
【図３】焼成炉の模式的な平面図である。
【図４】焼成炉の模式的な右側面図である。
【図５】焼成炉の模式的な左側面図である。
【図６】断熱容器の下側斜視図である。
【図７】支持治具によって断熱容器を支持させた状態を示す図である。
【図８】支持治具を用いなかった場合の焼成室内の温度変化を示す図である。
【図９】支持治具を用いた場合の焼成室内の温度変化を示す図である。
【図１０】支持治具を用いた場合の断熱容器の温度変化を示す図である。
【発明を実施するための形態】
【００１７】
以下、本発明の実施形態に係る焼成炉及びコーティング方法について、添付の図面を参照して具体的に説明する。
【００１８】
本実施形態に係るコーティング方法は、真空断熱二重構造である断熱容器の内面にフッ素樹脂等の合成樹脂塗料をコーティングする方法である。
特に、本実施形態に係るコーティング方法においては、後述する焼成工程において、保持治具を用いることにより、真空部を封止する封止部であるろう材が熱風に曝されることを防止し、その温度変形を防止することを特徴とする。
【００１９】
まず、一連の製造工程について図１を参照して説明する。
ここで、図１は、本実施形態に係るコーティング容器の製造方法のフローを示す図である。
本製造工程は、図１に示すように、大まかに分けて塗装工程Ｓ１と焼付工程Ｓ３とから構成される。
【００２０】
塗装工程Ｓ１は、断熱容器内面にブラスト材を打ち付けるブラスト工程Ｓ１０と、ブラスト材を除去するエアブロー工程Ｓ１１と、内面塗装工程Ｓ１２と予備乾燥工程Ｓ１３と、本乾燥工程Ｓ１４と、から構成される。
【００２１】
ブラスト工程Ｓ１０は、詳細については後述する内層と外層とから成る二重管構造を有する断熱容器５に樹脂塗料が密着しやすくするため、また、熱処理により炭化したゴミ等の除去するために、サンドブラストを噴射して断熱容器５の表面を荒くする工程である。
エアブロー工程Ｓ１１は、ブラスト工程Ｓ１０により断熱容器５に付着したサンドブラストを風圧によって除去する工程である。
【００２２】
内面塗装工程Ｓ１２は、本実施形態においてはフッ素樹脂を断熱容器５の内面に向けて噴射してコーティングする工程である。このように、フッ素樹脂でコーティングすることにより、断熱容器５の内面に汚れが付着しづらくなり、保温性を向上させ、更に外観を良くすることが可能となる。
【００２３】
予備乾燥工程Ｓ１３は、図示せぬ昇温炉を用いて温度を上昇させて、断熱容器５内のフッ素樹脂の塗料を乾燥させる工程である。
本乾燥工程Ｓ１４は、図示せぬ乾燥炉を用いて温度を上昇させて、断熱容器５内のフッ素樹脂の塗料を完全に乾燥させる工程である。
【００２４】
上記工程の後、塗膜が所定膜厚よりも薄ければ（Ｓ２：Ｎｏ）、再度、エアブロー工程Ｓ１１〜本乾燥工程Ｓ１４を繰り返し、所定膜厚の塗膜が形成されれば（Ｓ２：Ｙｅｓ）、焼付工程Ｓ３に移る。
【００２５】
焼付工程Ｓ３は、事前昇温工程Ｓ３０と、本焼成工程Ｓ３１とから構成される。
事前昇温工程Ｓ３０は、昇温炉を用いて、断熱容器５の温度を上昇させる工程である。
本焼成工程Ｓ３１は、焼成炉１を用いて、フッ素樹脂材料を断熱容器５に焼き付ける工程である。
本焼成工程Ｓ３１の後、コーティング工程が終了する。
【００２６】
次に、焼付工程Ｓ３において用いられる焼成炉１について、図２〜図５を参照して詳細に説明する。
ここで、図２は、本実施形態に係る焼成炉１の模式的な正面図、図３は、焼成炉１の模式的な平面図、図４は、焼成炉１の模式的な右側面図、図５は、焼成炉１の模式的な左側面図である。
【００２７】
焼成炉１は、焼成室１０を有する筐体状の本体１ａと、断熱容器５を搬送するスラットコンベア２と、熱風を生成して焼成室１０側に供給するヒーター機器１１ａ及びバーナー機器１１ｃと、生成された熱風を焼成室１０内で断熱容器５に吹き出す吹出ノズル１１ｂ及び吹出バルブ１１ｄと、断熱容器５を支持する支持治具１３と、から主に構成される。
【００２８】
スラットコンベア２は、断熱容器５を焼成室１０の内外に搬送するための装置であり、ギヤードモーター２０によって回転駆動される無端チェーンである一対のコンベアチェーン１２と、一対のコンベアチェーン１２の回転にともなって、回転移動する複数の板材である載置板１２ａと、から構成されている。特に本実施形態においては、スラットコンベア２は、約３００ｍｍ／ｍｉｎで回動するように構成されている。
【００２９】
載置板１２ａは、コンベアチェーン１２に両端側を取り付けられており、コンベアチェーン１２の回動により、載置された断熱容器５を後述する焼成室１０に通すように、焼成室１０を横断する水平方向の軌道を含んで回転移動する。
載置板１２ａには、複数の貫通孔１２ｂが形成されている。詳細については後述するが、貫通孔１２ｂによって、載置板１２ａ上に載置された断熱容器５が、焼成炉１の開口１０ａを介して焼成炉１外の空気に触れるためその温度上昇が抑制される。
更に、焼成炉１内の空気が貫通孔１２ｂ及び焼成炉１の開口１０ａを介して焼成炉１外に排出されることとなる。
【００３０】
ヒーター機器１１ａは、本発明に係る熱風供給部に相当し、外気を取り込んで熱して、焼成炉１の本体１ａの両側壁に１個ずつ形成された導入口１０ｅ、及び導入口１０ｅに取り付けられた戻りダクト１０ｄを介して、焼成炉１内にある内部ダクト１０ｃに熱風を送り込む機器である。ヒーター機器１１ａは、本実施形態において約１５ＫＷのヒーター容量を有するヒーターと、定格出力約４００Ｗのファンから構成されている。
【００３１】
バーナー機器１１ｃは、ヒーター機器１１ａとは別の本発明に係る熱風供給部に相当し、外気を取り込んで熱して、本体１ａの両側壁に複数形成された導入口１９ｅ、及び導入口１９ｅに取り付けられた戻りダクト１９ｄを介して、本体１ａ内にある内部ダクト１９ｃに熱風を送り込む機器である。バーナー機器１１ｃは、本実施形態において、天然ガスを用いたガス焚きによって熱風を生成する定格出力約２３３ＫＷのバーナー、定格出力約０．７５Ｗのファン、定格出力約０．４ＫＷのブロアから主に構成されている。
特に、バーナー機器１１ｃは、本実施形態において、後述する吹出ノズル１１ｂよりも多く設けられた吹出バルブ１１ｄから、吹出ノズル１１ｂと同じ最高温度４００度で吹き出し可能に構成されている。
【００３２】
吹出ノズル１１ｂは、本発明に係る供給端に相当し、開閉式であり、上方にある内部ダクト１０ｃと下方にある焼成室１０とに連通し、焼成室１０の上部から下方に突出して取り付けられている。吹出ノズル１１ｂは、本体１ａの入口側に設けられており、スラットコンベア２による搬送方向である本体１ａの長手方向に４列、搬送方向に垂直な方向である本体１ａの短手方向に４列、計１６個設けられている。
そして、吹出ノズル１１ｂの下端は、焼成室１０内に搬送された断熱容器５の上部の開口に近接する位置に配置されている。
ヒーター機器１１ａから供給される熱風は、吹出ノズル１１ｂが開状態にあるときに、焼成室１０内にある断熱容器５の開口に向けて上方から吹き出されることとなる。
【００３３】
吹出バルブ１１ｄは、吹出ノズル１１ｂとは別の本発明に係る供給端に相当し、開閉式であり、上方にある内部ダクト１９ｃと下方にある焼成室１０とに連通し、焼成室１０の天井面に吐出口が面するように取り付けられている。吹出バルブ１１ｄは、本体１ａの出口側に設けられており、スラットコンベア２による搬送方向である本体１ａの長手方向に１６列、搬送方向に垂直な方向である本体１ａの短手方向に２列、計３２個設けられている。
吹出バルブ１１ｄから供給される熱風は、吹出バルブ１１ｄが開状態にあるときに、焼成室１０内にある断熱容器５全体に向けて上方から吹き出されることとなる。
そして、焼成室１０内に吹き出された熱風は、本体１ａの両側壁に複数形成された開口１０ａを通じて本体１ａ外に排出される。
【００３４】
また、焼成炉１には、内部ダクト１０ｃとヒーター機器１１ａとに繋がるパイプ状の循環ダクト１０ｂが配設されている。
つまり、吹出バルブ１１ｄが閉状態にあるときは、ヒーター機器１１ａから供給される熱風は、内部ダクト１０ｃから焼成室１０に流出せず、戻りダクト１０ｄ、内部ダクト１０ｃ及び循環ダクト１０ｂを通って、ヒーター機器１１ａに循環することとなる。
【００３５】
同様に、焼成炉１には、内部ダクト１９ｃとバーナー機器１１ｃとに繋がるパイプ状の循環ダクト１９ｂが配設されている。
つまり、吹出バルブ１１ｄが閉状態にあるときは、ヒーター機器１１ａから供給される熱風は、内部ダクト１９ｃから焼成室１０に流出せず、戻りダクト１９ｄ、内部ダクト１９ｃ及び循環ダクト１９ｂを通って、バーナー機器１１ｃに循環することとなる。
つまり、生成された熱風は、大気に流出することなく、温度低下が抑制されて、新たな熱風の生成に再利用されることとなる。このため、熱風生成のためのエネルギー消費を抑制でき、生成コストを低減することが可能となる。
【００３６】
また、焼成炉１には、コンベアチェーン１２の回転移動方向において焼成室１０を出た先に、熱風を浴びて焼付塗装された断熱容器５を冷却する冷却ファン１４が設けられている。
【００３７】
支持治具１３は、詳細については後述するが、焼成工程の際に用いられ、断熱容器５を支持する治具である。支持治具１３は、図２〜図５において簡略化して示されている。
【００３８】
そして、本体１ａの出口側の外方に搬送された支持治具１３は、図示せぬ回収用コンベアにて、本体１ａの出口側から入口側に搬送されて再利用されることとなる。
また、冷却ファン１４によって冷却された断熱容器５は収納場所に搬送されることとなり、複数の断熱容器５に連続的に効率良く焼成が施されることとなる。
なお、このように連続的に焼成するものに限られず、バッチ処理によって、まとまった個数ごとに焼成を施すようにしてもよい。
【００３９】
次に、断熱容器５及び断熱容器５を支持する支持治具１３について、図６〜図１０を参照して説明する。
ここで、図６は、断熱容器５の下側斜視図、図７は、支持治具１３によって断熱容器５を支持させた状態を示す図、図８は、支持治具１３を用いなかった場合の焼成室１０の温度変化を示す図、図９は、支持治具１３を用いた場合の焼成室１０の温度変化を示す図、図１０は、支持治具１３を用いた場合の断熱容器５の温度変化を示す図である。
特に、図８及び図９に示す下側温度Ｔ１，Ｔ１ａは、焼成室１０内の下側に設けられた２つの温度センサの温度を示し、上側温度Ｔ２，Ｔ２ａは、焼成室１０内の上側に設けられた２つの温度センサの温度を示すものである。
また、図１０に示す、外底温度Ｔ３は、焼成工程において、焼成室１０内に設けられた断熱容器５の外底に取り付けられた温度センサの温度、内側温度Ｔ４は、断熱容器５の内側側面に取り付けられた温度センサの温度、内底温度Ｔ５は、断熱容器５の内底に取り付けられた温度センサの温度、上縁温度Ｔ６は、断熱容器５の上縁に取り付けられた温度センサの温度を示すものである。
【００４０】
断熱容器５は、内部に液体等を収容可能なように上側が開放されている。断熱容器５は、断熱構造を備えるように真空二重構造からなり、図６に示すように、容器本体５１の外層側の下面である外底に取り付けられたろう材５２によって、内部の真空部が封止されている。
【００４１】
このろう材５２は、加熱されることにより約３８０度以上になると変形してしまう。
この変形を防止するために、焼成室１０の温度をその温度よりも低く設定した場合には、樹脂材料の結晶粒内の偏析を十分に無くすことができずに、容器内面の塗装面が粗くなることがあった。
そこで、次に詳細に説明する支持治具１３によって断熱容器５を支持させ、棚板１３ｃによってろう材５２近傍の温度上昇を制限する。
【００４２】
支持治具１３は、棚状に形成されており、図７に示すように、幅方向両側において上下に立設する一対の側板１３ａと、一対の側板１３ａに両端を固定されて、下段に設けられた棚板１３ｃと、棚板１３ｃの上方に設けられた棚板１３ｉと、から主に構成される。
【００４３】
棚板１３ｃは、本発明に係る隔壁に相当し、側板１３ａに両端を固定されて水平向きに取り付けられている。棚板１３ｃには、断熱容器５を支持する支持孔１３ｆが、厚さ方向である上下方向に貫通して、長手方向に沿って４つ形成されている。
棚板１３ｉは、棚板１３ｃとは別の本発明に係る隔壁に相当し、側板１３ａに両端を固定されて水平向きに取り付けられている。棚板１３ｉにも同様に、断熱容器５を支持する支持孔１３ｆが、厚さ方向である上下方向に貫通して、長手方向に沿って４つ形成されている。
このように支持治具１３は、棚板１３ｃ，１３ｉを上下に複数備えることで、大きさの異なる断熱容器５を好適に支持できるように構成されている。
【００４４】
更に、棚板１３ｃ及び棚板１３ｉのそれぞれにおける一部の支持孔１３ｆの上には、支持板１３ｇが載せられている。支持板１３ｇには、厚さ方向である上下方向に貫通する支持孔１３ｈが形成されており、支持孔１３ｈは、支持孔１３ｆよりも小径に形成されている。
このような構成により、支持治具１３は、断熱容器５の外径が大きい場合には、支持孔１３ｆによって直接支持し、断熱容器５の外径が小さい場合には、その外径に適した径の支持孔１３ｈを有する支持板１３ｇを用いて好適に支持することができる。
【００４５】
一対の側板１３ａのそれぞれには、一対のスリット１３ｅが、側板１３ａの長手方向である上下方向に連続して形成されており、スリット１３ｅを通る締結具１３ｋによって位置決め板１３ｊが固定されている。
【００４６】
位置決め板１３ｊは、棚板１３ｉの上下位置を決める板であり、側板１３ａの短手方向と位置決め板１３ｊの長手方向とが一致するように、一対の側板１３ａの対向する側面側にそれぞれ取り付けられている。
【００４７】
上下に連続するスリット１３ｅの任意の位置に、位置決め板１３ｊを固定するようにすることで、棚板１３ｉの位置を任意に設定することが可能となり、高さの異なる断熱容器５を好適に支持することが可能となる。
特に、支持治具１３の棚板１３ｃ及び棚板１３ｉによって、ろう材５２の周囲が、上方から吹き出される熱風に直接的に曝されることを回避することができる。
このため、ろう材５２周囲の温度上昇を抑制することが可能となる。
更に、棚板１３ｃ及び棚板１３ｉが貫通孔１２ｂと断熱容器５の上部とを隔てていることで、断熱容器５の内部の熱が貫通孔１２ｂを介して外気に流出することを抑制することができる。
このため、断熱容器５の内部の樹脂材料の焼付けを安定した高い温度で好適に行なうことが可能となる。
【００４８】
このように、支持治具１３を用いることによって、図１０に示すように、内側温度Ｔ４、内底温度Ｔ５及び上縁温度Ｔ６が約３６０度〜約３８０度となっているのに対して、焼成室１０内の下側であって棚板１３ｃよりも下方にある外底温度Ｔ３の温度の上昇を、本実施形態においては約１８０度までに抑制することができる。この温度は、ろう材５２が変形しない十分な温度である。
【００４９】
また、支持治具１３を用いた場合には、熱風が供給される吹出ノズル１１ｂ又は吹出バルブ１１ｄと、相対的に低温である焼成炉１外に繋がる貫通孔１２ｂとの間に棚板１３ｃが位置することとなる。
このため、図９に示すように、支持治具１３を用いた場合には、図８に示す支持治具１３を用いない場合と比較して、焼成室１０内における下側温度Ｔ１ａ及び上側温度Ｔ２ａのそれぞれの温度の変動を小さくして安定させることができる。
【００５０】
本実施形態においては、支持治具１３を用いない場合には、下側温度Ｔ１及び上側温度Ｔ２が、図８に示すように約３０秒で約５０度程度変動するのに対し、支持治具１３を用いた場合には、下側温度Ｔ１ａ及び上側温度Ｔ２ａの変動を、図９に示すように約３０秒で約３０度程度の変動に抑えることが可能となった。
そして、上側温度Ｔ２ａの温度変動が小さいために、内側温度Ｔ４、内底温度Ｔ５及び上縁温度Ｔ６の温度変動を当然小さくすることができる。
このように、内側温度Ｔ４、内底温度Ｔ５及び上縁温度Ｔ６を高く維持しつつ、温度変動を小さくできるため、焼付けによる樹脂材料の結晶粒内の偏析を十分に無くすことが可能となり、容器内面の塗装面を滑らかにすることが可能となった。
【００５１】
なお、上記の実施形態は、本発明の理解を容易にするための一例に過ぎず、本発明を限定するものではない。すなわち、本実施形態に係る部材の形状、大きさ、配置等については、本発明の趣旨を逸脱することなく、変更、改良され得るとともに、本発明にはその等価物が含まれることはもちろんである。
【００５２】
例えば、上記工程によって、断熱容器に塗料を焼付けできればよく、支持治具自体や、支持治具の棚板、貫通孔等の位置、数や大きさ等は、製造能力、製造条件等に応じて任意に設定することが可能である。
【００５３】
また、上記実施形態においては、断熱容器の上方から熱風を吹き出すものとして吹出ノズル又は吹出バルブを設け、その下方に外気に繋がる貫通孔を有する載置板を設けて、吹出ノズル又は吹出バルブと貫通孔との間に支持治具を設けるものとして説明した。
本発明はこのような形態に限定されず、支持治具によってろう材が熱風に直接的に曝されることを回避できればよい。
例えば、熱風の供給方向を下から上方向として、焼成室の上部に支持治具としてのネットを設け、このネットに逆さ吊りした断熱容器を取り付けるようにし、断熱容器の上方に外気に繋がる貫通孔を形成するようにしてもよい。
このように、断熱容器を吊り下げる構成によれば、塗料が自重により容器から落ちるため、断熱容器の下方に塗料が偏ることを防止しつつ、支持治具によって、ろう材の温度が高まることを抑制し、ろう材が変形することを防止することができる。
【符号の説明】
【００５４】
１  焼成炉
１ａ  本体
２  スラットコンベア
５  断熱容器
１０  焼成室
１０ａ  開口
１０ｂ，１９ｂ  循環ダクト
１０ｃ，１９ｃ  内部ダクト
１０ｄ，１９ｄ  戻りダクト
１０ｅ，１９ｅ  導入口
１１ａ  ヒーター機器（熱風供給部）
１１ｂ  吹出ノズル（供給端）
１１ｃ  バーナー機器（熱風供給部）
１１ｄ  吹出バルブ（供給端）
１２  コンベアチェーン
１２ａ  載置板
１２ｂ  貫通孔
１３  支持治具
１３ａ  側板
１３ｃ，１３ｉ  棚板（隔壁）
１３ｄ  梁材
１３ｅ  スリット
１３ｆ  支持孔
１３ｇ  支持板
１３ｈ  支持孔
１３ｊ  位置決め板
１３ｋ  締結具
１４  冷却ファン
２０  ギヤードモーター
５１  容器本体
５２  ろう材（封止部）
Ｔ１，Ｔ１ａ  下側温度
Ｔ２，Ｔ２ａ  上側温度
Ｔ３  外底温度
Ｔ４  内側温度
Ｔ５  内底温度
Ｔ６  上縁温度
【図１】
0006274448.tif 000002
【図２】
0006274448.tif 000003
【図３】
0006274448.tif 000004
【図４】
0006274448.tif 000005
【図５】
0006274448.tif 000006
【図６】
0006274448.tif 000007
【図７】
0006274448.tif 000008
【図８】
0006274448.tif 000009
【図９】
0006274448.tif 000010
【図１０】
0006274448.tif 000011